(57)【要約】【課題】吸入された券の搬送路に、前記券を退避させる退避部を接続し、吸入された券を前記退避部に退避させた後に保管又は返却することによって、前記券を返却する場合に、前記券が折れ曲がったり破損したりすることがなく、前記券を確実に返却することができ、メンテナンスが容易になるようにする。【解決手段】吸入された券を保管又は返却する券類発行装置であって、前記券を搬送する搬送路と、該搬送路に接続され、前記券を集積して保管する集積部２７と、前記搬送路に接続された退避部１０とを有し、前記吸入された券を前記退避部１０に退避させた後に保管又は返却する。【選択図】図１
2005222122.tif 000002
【特許請求の範囲】
【請求項１】
（ａ）吸入された券を保管又は返却する券類発行装置であって、
（ｂ）前記券を搬送する搬送路と、
（ｃ）該搬送路に接続され、前記券を集積して保管する集積部と、
（ｄ）前記搬送路に接続された退避部とを有し、
（ｅ）前記吸入された券を前記退避部に退避させた後に保管又は返却することを特徴とする券類発行装置。
【請求項２】
前記搬送路の途中に配設され、前記吸入された券に記録された内容を読み取る読み取り装置を有する請求項１に記載の券類発行装置。
【請求項３】
前記券の搬送方向を切り替えて、前記券を前記搬送路から前記退避部に、該退避部から前記集積部に、又は、前記退避部から前記搬送路に搬送する搬送方向切り替え装置を有する請求項１又は２に記載の券類発行装置。
【請求項４】
前記退避部は、ベルトユニットの間に前記券を挟み込む退避搬送路を備え、複数枚の前記券を前記退避搬送路内に順に退避させる請求項１〜３のいずれか１項に記載の券類発行装置。
【請求項５】
前記退避部は、ループ状の退避搬送路を備え、複数枚の前記券を前記退避搬送路内に順に退避させる請求項１〜３のいずれか１項に記載の券類発行装置。
【請求項６】
前記退避部は、前記退避搬送路内に退避させた券を、退避させた順で前記搬送路又は集積部に搬送する請求項５に記載の券類発行装置。
【発明の詳細な説明】
【技術分野】
【０００１】
本発明は、券類発行装置に関するものである。
【背景技術】
【０００２】
従来、鉄道の駅、飛行場、旅行代理店等に配設された乗車券、予約券、座席指定券、定期乗車券、航空機の搭乗券等を発行する券類発行装置においては、挿入口から挿入された券の情報を読み取って、該情報に新たな情報を書き込んだり、該情報を消去したり、該情報を書き換えたりした後に、新たな券に交換して発行するようになっている（例えば、特許文献１参照。）。この場合、前記券類発行装置は券を集積させる集積装置を有し、前記挿入された券を前記集積装置内に集積して保管するようになっている。また、前記挿入された券を排出する場合には、一旦（たん）、前記券を集積装置内に集積した後に該集積装置から取り出して搬送し、前記挿入口又は該挿入口とは別の排出口から排出するようになっている。そのために、前記集積装置には取り出すべき券を集積された他の券と分離するための分離機構が配設されている。
【０００３】
図２は従来の集積装置の構成を示す断面図である。
【０００４】
図において、１０５は、図示されない券類発行装置の内部に配設された集積装置であり、集積箱１０３を有する。そして、１０１は前記券類発行装置の挿入口から挿入され、図示されない搬送装置によって搬送路に沿って搬送された券である。該券１０１は、例えば、予約券であり、裏面に磁気ストライプ等の記録部を備え、該記録部に予約内容が記録されている。そして、前記搬送路の途中には、磁気ヘッド等を備えた図示されない読み取り装置が配設され、前記券１０１の記録部に記録された予約内容を読み取るようになっている。また、前記券類発行装置は、図示されない発券機構を備え、前記予約内容に対応する乗車券等の券を前記発券機構によって発行して、排出口から排出する。これにより、利用者は、予約内容に対応する乗車券等の券を入手することができる。
【０００５】
一方、予約券である前記券１０１は、前記読み取り装置によって記録部に記録された内容が読み取られた後は、不要となるので、前記集積装置１０５にまで搬送され、集積箱１０３内の底板１０６上に積み重ねられ、集積されて保管される。なお、図２において１０４は集積済み券である。
【０００６】
しかし、前記読み取り装置が読み取った予約内容が不適切であった場合等には、前記券類発行装置は、前記券１０１を前記挿入口又は該挿入口とは別の排出口から排出して返却するようになっている。この場合、前記集積箱１０３内に一旦集積された券１０１を前記集積箱１０３から取り出す必要がある。そのため、前記集積装置１０５は、集積箱１０３内に券１０１を搬入する集積機構１０２に加えて、前記集積箱１０３内の集積済み券１０４の最上位に位置する券１０１を分離して搬出するための分離機構１０９を有する。
【０００７】
ここで、前記集積機構１０２は、放射状に配設された羽根状の板部材を複数枚備えた舌片ローラであり、搬送装置によって集積箱１０３の入口にまで搬送されてきた券１０１を、上方から集積済み券１０４上に積み重ねるようにして集積させる。
【０００８】
また、前記分離機構１０９は、ピックアップローラ１０６、フィードローラ１０７及びリバースローラ１０８を有する。なお、前記フィードローラ１０７は、両方向に回転可能であり、前記券１０１を集積箱１０３内に搬入する場合には、図２における反時計回り方向に回転する。そして、前記券１０１を集積箱１０３から搬出する場合には、図２における時計回り方向に回転する。また、前記フィードローラ１０７と対向するリバースローラ１０８は、前記券１０１を集積箱１０３から搬出する場合にだけ回転する。この場合、図２における反時計回り方向に回転する。
【０００９】
そして、前記ピックアップローラ１０６は、前記券１０１を集積箱１０３から搬出する場合にだけ図２における時計回り方向に回転し、集積箱１０３内の集積済み券１０４の最上位に位置する券１０１をピックアップして、前記フィードローラ１０７及びリバースローラ１０８の方向に送り出す。なお、前記集積箱１０３の底板１０６は、図示されない駆動機構によって昇降するようになっていて、前記券１０１を集積箱１０３から搬出する場合には上昇する。そのため、前記集積済み券１０４全体が上昇し、該集積済み券１０４の最上位に位置する券１０１は、前記ピックアップローラ１０６に下から押し付けられてピックアップされ、集積済み券１０４から分離される。
【００１０】
これにより、集積箱１０３内に一旦集積された券１０１は、前記集積箱１０３から取り出され、搬送装置によって搬送されて、挿入口又は該挿入口とは別の排出口から排出されて返却される。なお、前記集積箱１０３から取り出される券１０１は、一枚でなく複数枚の場合もある。この場合、前記券１０１は、集積済み券１０４から一枚ずつ分離されて搬送され、排出される。
【特許文献１】特開昭６４−１０９０号公報
【発明の開示】
【発明が解決しようとする課題】
【００１１】
しかしながら、前記従来の券類発行装置においては、券１０１を集積箱１０３内に搬入し、集積済み券１０４上に積み重ねて集積させる際に、前記券１０１や集積済み券１０４が折れ曲がったり破損したりしてしまうことがある。この場合、折れ曲がったり破損したりした券１０１が返却されてしまう。また、前記集積箱１０３内に一旦集積された券１０１を前記集積箱１０３から取り出すことができなくなってしまう可能性もある。
【００１２】
図３は従来の集積装置の動作を示す断面図である。
【００１３】
例えば、券１０１ａが比較的変形し易い材質のものである場合、図３に示されるように、集積済み券１０４上に積み重ねられても、券１０１ａは形状が不安定な状態になっている。そのため、次に搬送されてきた券１０１ｂが、集積箱１０３内に搬入される際に、前記券１０１ａに衝突してしまうことがある。これにより、券１０１ａ及び券１０１ｂが、折れ曲がったり破損したりしてしまうことがある。したがって、折れ曲がったり破損したりした券１０１ａ又は券１０１ｂが返却されてしまうことがある。
【００１４】
また、該折れ曲がったり破損したりした券１０１ａ又は券１０１ｂをピックアップローラ１０６によってピックアップしてフィードローラ１０７とリバースローラ１０８との間に送り込むことは困難である。そのため、前記券１０１ａ又は券１０１ｂを返却することができなくなってしまうこともある。
【００１５】
さらに、前記分離機構１０９においては、ピックアップローラ１０６、フィードローラ１０７及びリバースローラ１０８の表面が汚れていると、集積済み券１０４の最上位に位置する券１０１を分離して集積箱１０３から搬出することができなくなってしまう。そのため、定期的にピックアップローラ１０６、フィードローラ１０７及びリバースローラ１０８の表面を清掃する必要があり、メンテナンスの負担が大きくなる。
【００１６】
本発明は、前記従来の券類発行装置の問題点を解決して、吸入された券の搬送路に、前記券を退避させる退避部を接続し、吸入された券を前記退避部に退避させた後に保管又は返却することによって、前記券を返却する場合に、前記券が折れ曲がったり破損したりすることがなく、前記券を確実に返却することができ、メンテナンスが容易な券類発行装置を提供することを目的とする。
【課題を解決するための手段】
【００１７】
そのために、本発明の券類発行装置においては、吸入された券を保管又は返却する券類発行装置であって、前記券を搬送する搬送路と、該搬送路に接続され、前記券を集積して保管する集積部と、前記搬送路に接続された退避部とを有し、前記吸入された券を前記退避部に退避させた後に保管又は返却する。
【００１８】
本発明の他の券類発行装置においては、さらに、前記搬送路の途中に配設され、前記吸入された券に記録された内容を読み取る読み取り装置を有する。
【００１９】
本発明の更に他の券類発行装置においては、さらに、前記券の搬送方向を切り替えて、前記券を前記搬送路から前記退避部に、該退避部から前記集積部に、又は、前記退避部から前記搬送路に搬送する搬送方向切り替え装置を有する。
【００２０】
本発明の更に他の券類発行装置においては、さらに、前記退避部は、ベルトユニットの間に前記券を挟み込む退避搬送路を備え、複数枚の前記券を前記退避搬送路内に順に退避させる。
【００２１】
本発明の更に他の券類発行装置においては、さらに、前記退避部は、ループ状の退避搬送路を備え、複数枚の前記券を前記退避搬送路内に順に退避させる。
【００２２】
本発明の更に他の券類発行装置においては、さらに、前記退避部は、前記退避搬送路内に退避させた券を、退避させた順で前記搬送路又は集積部に搬送する。
【発明の効果】
【００２３】
本発明によれば、券類発行装置に吸入された券の搬送路に、券を退避させる退避部を接続し、吸入された券を前記退避部に退避させた後に保管又は返却するようになっている。これにより、吸入された券を返却する場合に、券が折れ曲がったり破損したりすることがなく、券を確実に返却することができる。また、券類発行装置のメンテナンスが容易になる。
【発明を実施するための最良の形態】
【００２４】
以下、本発明の実施の形態について図面を参照しながら詳細に説明する。
【００２５】
図１は本発明の第１の実施の形態における券類発行装置の退避部の構成を示す断面図、図４は本発明の第１の実施の形態における券類発行装置の搬送装置全体の構成を示す断面図である。
【００２６】
図４において、２０は券類発行装置の内部に配設された搬送装置である。ここで、前記券類発行装置は、鉄道の駅、飛行場、旅行代理店等に配設され、鉄道の乗車券、予約券、座席指定券、定期乗車券、航空機の搭乗券等の券を発行する装置であるが、いかなる種類の券を発行する装置であってもよいし、いかなる場所に配設された装置であってもよい。そして、前記券類発行装置は、挿入口２５から挿入されて吸入された券としての吸入券１１の情報を読み取って、該情報に新たな情報を書き込んだり、該情報を消去したり、該情報を書き換えたりした後に、新たな券を発行する。また、前記吸入券１１は回収され前記券類発行装置内に保管される。
【００２７】
例えば、前記吸入券１１が鉄道の予約券である場合、裏面に磁気ストライプ等の記録部を備え、該記録部に予約内容が記録されている。そして、前記搬送装置２０における搬送路としての主搬送路２６の途中には、磁気ヘッド等から成る読み取りヘッドを備えた読み取り装置２３が配設され、前記吸入券１１の記録部に記録された予約内容を読み取るようになっている。また、前記券類発行装置は、図示されない発券機構を備え、前記予約内容に対応する鉄道の乗車券を前記発券機構によって発行して、図示されない排出口から排出する。これにより、前記券類発行装置を操作するオペレータ又は利用者は、予約内容に対応する鉄道の乗車券を入手することができる。そして、前記吸入券１１は回収されて保管される。また、該吸入券１１が鉄道の定期乗車券であり有効期間を更新する手続きが行われた場合、前記券類発行装置は有効期間が更新された定期乗車券を発行する。そして、前記吸入券１１は回収されて保管される。また、該吸入券１１が鉄道の座席指定券であり指定座席を変更する手続きが行われた場合、前記券類発行装置は指定座席が変更された座席指定券を発行する。そして、前記吸入券１１は回収されて保管される。
【００２８】
また、該吸入券１１が挿入口２５又は排出口から排出されて返却されることもある。例えば、前記読み取り装置２３が読み取った内容が不適切であった場合、前記券類発行装置は前記吸入券１１を挿入口２５又は排出口から排出する。また、前記吸入券１１が鉄道の乗車券であり特急券を発行する手続きが行われた場合、前記券類発行装置は特急券を発行するとともに、前記吸入券１１を挿入口２５又は排出口から排出する。さらに、新たな券を発行するための手続きが途中でキャンセルされた場合も、前記券類発行装置は前記吸入券１１を挿入口２５又は排出口から排出する。なお、本実施の形態においては、前記吸入券１１が挿入口２５から排出されるものとして説明する。
【００２９】
図４に示されるように、前記搬送装置２０は、主搬送路２６に沿って配設された複数の搬送ローラ２１を有する。該搬送ローラ２１のすべて又はいくつかは、ベルト、プーリ、ギヤ等から成る動力伝達機構２２ａを介して、電動モータ等の駆動源２２によって駆動されて回転する。これにより、前記吸入券１１は、対向する搬送ローラ２１によって挟み込まれた状態で主搬送路２６に沿って搬送される。なお、前記搬送ローラ２１の回転方向は、適宜変更することができ、挿入口２５から吸入された吸入券１１を券類発行装置の奥側に向けて搬送したり、券類発行装置の奥側から挿入口２５に向けて搬送したりすることができる。
【００３０】
そして、前記吸入券１１が主搬送路２６に沿って搬送され、前記読み取り装置２３を通過する際に、前記吸入券１１の記録部に記録された内容が前記読み取りヘッドによって読み取られる。なお、前記吸入券１１は裏表が逆さまになって吸入されることもあるので、前記読み取り装置２３は主搬送路２６の両側（図４における上側及び下側）に読み取りヘッドを、それぞれ、備えていることが望ましい。
【００３１】
また、前記主搬送路２６における前記読み取り装置２３より奥側には、搬送方向切り替え装置２４が配設されている。該搬送方向切り替え装置２４は、ベルトユニットとしての上側搬送ベルトユニット２４ａ、下側搬送ベルトユニット２４ｂ、側方搬送ベルトユニット２４ｃ及び集積側搬送ベルトユニット２４ｄを備え、内部において三本の搬送路が交差する三叉（さ）路状の搬送路を構成するようになっている。なお、前記上側搬送ベルトユニット２４ａ、下側搬送ベルトユニット２４ｂ、側方搬送ベルトユニット２４ｃ及び集積側搬送ベルトユニット２４ｄは、複数のベルトローラ２８ａの周囲に架け回された搬送ベルト２８ｂによって、それぞれ、構成されている。また、前記ベルトローラ２８ａのすべて又はいくつかは、図示されない電動モータ等の駆動源によって駆動されて回転する。なお、該駆動源は、前記駆動源２２と同一のものであってもよい。
【００３２】
そして、前記搬送方向切り替え装置２４において、上側搬送ベルトユニット２４ａと側方搬送ベルトユニット２４ｃとの間に構成された搬送路の出入口（図４における上側の出入口）は前記主搬送路２６に接続され、上側搬送ベルトユニット２４ａと下側搬送ベルトユニット２４ｂとの間に構成された搬送路の出入口（図４における右側の出入口）は前記吸入券１１を退避させる退避部１０に接続され、下側搬送ベルトユニット２４ｂと集積側搬送ベルトユニット２４ｄとの間に構成された搬送路の出入口（図４における左側の出入口）は前記吸入券１１を集積して保管する集積部２７に接続される。これにより、前記吸入券１１は、前記搬送方向切り替え装置２４の内部において、上側搬送ベルトユニット２４ａ、下側搬送ベルトユニット２４ｂ、側方搬送ベルトユニット２４ｃ及び集積側搬送ベルトユニット２４ｄに挟み込まれて搬送され、主搬送路２６から退避部１０に搬送されたり、退避部１０から集積部２７に搬送されたり、退避部１０から主搬送路２６に搬送されたりするようになっている。
【００３３】
ここで、前記集積部２７は、集積箱を備え、該集積箱の内部に前記吸入券１１を集積して保管する。すなわち、退避部１０から集積部２７に搬送された吸入券１１は、下側搬送ベルトユニット２４ｂと集積側搬送ベルトユニット２４ｄとの間に構成された搬送路の出入口から排出され、前記集積箱内の底板上に積み重ねられ、集積されて保管される。
【００３４】
また、前記退避部１０は、図１に示されるように、ベルトユニットとしての外側ベルトユニット１５ａ及び内側ベルトユニット１５ｂを備え、内部において略Ｕ字状の搬送路としての退避搬送路１４を構成するようになっている。なお、前記外側ベルトユニット１５ａ及び内側ベルトユニット１５ｂは、複数のベルトローラ１６ａの周囲に架け回された搬送ベルト１６ｂによって、それぞれ、構成されている。また、内側ベルトユニット１５ｂは大径の退避部駆動ローラ１２を備え、前記退避搬送路１４は、退避部駆動ローラ１２の周囲を回って、方向をほぼ１８０度転換するようになっている。
【００３５】
そして、前記退避部駆動ローラ１２は、ベルト、プーリ、ギヤ等から成る動力伝達機構１３ａを介して、電動モータ等の退避駆動源１３によって駆動されて回転する。これにより、前記搬送方向切り替え装置２４を介して主搬送路２６から退避部１０に搬送された吸入券１１は、対向する外側ベルトユニット１５ａと内側ベルトユニット１５ｂとによって挟み込まれた状態で退避搬送路１４に沿って搬送される。なお、前記退避部駆動ローラ１２の回転方向は、適宜変更することができ、図において矢印で示される方向に回転して、搬送方向切り替え装置２４から搬送された吸入券１１を退避搬送路１４の奥側に向けて搬送したり、前記矢印で示される方向と反対の方向に回転して、退避搬送路１４の奥側から搬送方向切り替え装置２４に向けて吸入券１１を搬送したりすることができる。
【００３６】
本実施の形態において、挿入口２５から挿入されて吸入された吸入券１１は、読み取り装置２３を通過した後、一旦前記退避部１０に送り込まれるようになっている。そして、前記吸入券１１の記録部に記録された内容が前記読み取り装置２３によって読み取られ、前記吸入券１１を挿入口２５から排出して返却する必要がないと判断されると、前記吸入券１１は、前記退避部１０から集積部２７に搬送され、集積箱の内部に集積されて保管される。また、前記吸入券１１を挿入口２５から排出して返却する必要があると判断されると、前記吸入券１１は、前記退避部１０から主搬送路２６に搬送され、挿入口２５から排出されて返却される。
【００３７】
ここで、前記退避部１０に退避させることができる吸入券１１の枚数は、退避搬送路１４の長さに依存する。すなわち、退避搬送路１４の長さが短ければ退避させることができる吸入券１１の枚数は少なく、退避搬送路１４の長さが長ければ退避させることができる吸入券１１の枚数は多くなる。図１に示される例においては、四枚の吸入券１１ａ〜１１ｄを退避させることができるようになっている。券類発行装置において、一度に吸入する吸入券１１の枚数は、通常、一〜二枚であると考えられるので、多少の余裕を見込んで、四枚の吸入券１１ａ〜１１ｄを退避させることができるようになっている。なお、退避搬送路１４の長さは、退避させる吸入券１１の枚数に応じて適宜変更することができる。
【００３８】
また、前記搬送方向切り替え装置２４と退避部１０との間には、センサ部１７が配設されている。該センサ部１７は、発光素子１７ａ及び受光素子１７ｂを備え、該発光素子１７ａから受光素子１７ｂまでの光路１７ｃを横切って通過する吸入券１１を検出するようになっている。例えば、該吸入券１１の後端が前記光路１７ｃを通過した時にセンサ部１７が吸入券１１を検出するようになっている。そして、前記センサ部１７が搬送方向切り替え装置２４から退避搬送路１４に向けて搬送された吸入券１１を検出すると、前記退避駆動源１３が作動して退避部駆動ローラ１２が図において矢印で示される方向に回転し、前記吸入券１１を退避搬送路１４内に搬送する。また、所定の距離だけ前記吸入券１１を搬送すると、前記退避駆動源１３が停止し、退避搬送路１４内に前記吸入券１１を保持する。この場合、該吸入券１１は、外側ベルトユニット１５ａと内側ベルトユニット１５ｂとの間に挟み込まれているので、退避搬送路１４から脱落することがない。なお、前記所定の距離は、前記吸入券１１が、図１に示される吸入券１１ａの位置に到達するまでの距離であり、退避駆動源１３の作動時間、退避部駆動ローラ１２の回転角、又は、搬送ベルト１６ｂの移動量を制御することによって、制御することができる。
【００３９】
そして、二枚目の吸入券１１が搬送方向切り替え装置２４から退避搬送路１４に向けて搬送されたことを前記センサ部１７が検出した場合も、同様に、前記退避駆動源１３が作動して退避部駆動ローラ１２が図において矢印で示される方向に回転し、前記吸入券１１を所定の距離だけ搬送する。これにより、既に退避搬送路１４内に保持されている一枚目の吸入券１１は、図１に示される吸入券１１ａの位置から吸入券１１ｂの位置にまで移動し、二枚目の吸入券１１が、図１に示される吸入券１１ａの位置に到達する。このようにして、前記退避部１０に複数枚、例えば、四枚の吸入券１１を退避させることができる。
【００４０】
次に、前記構成の券類発行装置の動作について説明する。本実施の形態においては、鉄道の乗車券及び特急券の内容を変更して、新たな乗車券及び特急券を発行する場合のように、二枚の吸入券１１が挿入口２５から挿入される場合について説明する。
【００４１】
まず、前記券類発行装置を操作するオペレータ又は利用者が一枚目の吸入券１１を挿入口２５から挿入すると、前記吸入券１１は搬送装置２０内に吸入され、対向する搬送ローラ２１によって挟み込まれた状態で主搬送路２６に沿って搬送される。そして、前記吸入券１１は、前記主搬送路２６の途中に配設された読み取り装置２３を通過する。この際に、前記吸入券１１の記録部に記録された内容が前記読み取り装置２３の読み取りヘッドによって読み取られる。
【００４２】
続いて、前記吸入券１１は、前記主搬送路２６から搬送方向切り替え装置２４に搬送される。そして、前記吸入券１１は、搬送方向切り替え装置２４内において、上側搬送ベルトユニット２４ａと側方搬送ベルトユニット２４ｃとの間に構成された搬送路、及び、上側搬送ベルトユニット２４ａと下側搬送ベルトユニット２４ｂとの間に構成された搬送路を通過して搬送される。これにより、前記吸入券１１は、搬送方向切り替え装置２４を経由して、主搬送路２６から退避部１０に搬送される。
【００４３】
そして、センサ部１７が搬送方向切り替え装置２４から退避搬送路１４に向けて搬送された吸入券１１を検出すると、退避駆動源１３が作動して退避部駆動ローラ１２が図において矢印で示される方向に回転し、前記吸入券１１を退避搬送路１４内に搬送する。この場合、前記吸入券１１が、図１に示される吸入券１１ａの位置に到達すると前記退避駆動源１３が停止し、退避搬送路１４内に前記吸入券１１が保持される。
【００４４】
次に、オペレータ又は利用者が二枚目の吸入券１１を挿入口２５から挿入すると、前記二枚目の吸入券１１は、一枚目の吸入券１１と同様に、主搬送路２６に沿って搬送される。続いて、前記二枚目の吸入券１１は、記録部に記録された内容が読み取り装置２３によって読み取られた後に、前記主搬送路２６から搬送方向切り替え装置２４に搬送される。そして、前記二枚目の吸入券１１は、前記搬送方向切り替え装置２４を経由して、主搬送路２６から退避部１０に搬送される。
【００４５】
そして、二枚目の吸入券１１が搬送方向切り替え装置２４から退避搬送路１４に向けて搬送されたことを前記センサ部１７が検出すると、一枚目の吸入券１１の場合と同様に、前記退避駆動源１３が作動して退避部駆動ローラ１２が図において矢印で示される方向に回転し、前記吸入券１１を所定の距離だけ搬送する。これにより、既に退避搬送路１４内に保持されている一枚目の吸入券１１は、図１に示される吸入券１１ａの位置から吸入券１１ｂの位置にまで移動し、二枚目の吸入券１１が、図１に示される吸入券１１ａの位置に到達する。
【００４６】
一方、前記読み取り装置２３が読み取った前記二枚の吸入券１１の記録部に記録された内容に基づいて、前記券類発行装置は、新たな券を発行するための手続きを実行する。そして、前記二枚の吸入券１１を挿入口２５から排出して返却する必要がないと判断されると、前記吸入券１１は、前記退避部１０から集積部２７に搬送され、集積箱の内部に集積されて保管される。この場合、前記退避駆動源１３が逆転し、退避部駆動ローラ１２が図において矢印で示される方向と反対の方向に回転して、退避搬送路１４の奥側から搬送方向切り替え装置２４に向けて前記二枚の吸入券１１を順次搬送する。
【００４７】
そして、前記二枚の吸入券１１は、搬送方向切り替え装置２４内において、上側搬送ベルトユニット２４ａと下側搬送ベルトユニット２４ｂとの間に構成された搬送路、及び、下側搬送ベルトユニット２４ｂと集積側搬送ベルトユニット２４ｄとの間に構成された搬送路を通過して搬送される。これにより、前記二枚の吸入券１１は、搬送方向切り替え装置２４を経由して、退避部１０から集積部２７に搬送される。そして、前記二枚の吸入券１１は、下側搬送ベルトユニット２４ｂと集積側搬送ベルトユニット２４ｄとの間に構成された搬送路の出入口から順次排出され、前記集積箱内の底板上に順次積み重ねられ、集積されて保管される。
【００４８】
また、例えば、前記読み取り装置２３が読み取った内容が不適切であった場合や、新たな券を発行するための手続きが途中でキャンセルされた場合のように、前記吸入券１１を挿入口２５から排出して返却する必要があると判断されると、前記吸入券１１は、前記退避部１０から主搬送路２６に搬送され、挿入口２５から排出されて返却される。この場合、前記退避駆動源１３が逆転し、退避部駆動ローラ１２が図において矢印で示される方向と反対の方向に回転して、退避搬送路１４の奥側から搬送方向切り替え装置２４に向けて前記二枚の吸入券１１を順次搬送する。
【００４９】
そして、前記二枚の吸入券１１は、搬送方向切り替え装置２４内において、上側搬送ベルトユニット２４ａと下側搬送ベルトユニット２４ｂとの間に構成された搬送路、及び、上側搬送ベルトユニット２４ａと側方搬送ベルトユニット２４ｃとの間に構成された搬送路を通過して搬送される。これにより、前記二枚の吸入券１１は、搬送方向切り替え装置２４を経由して、退避部１０から主搬送路２６に搬送される。この場合、駆動源２２が逆転するので、前記搬送ローラ２１は、前記二枚の吸入券１１を奥側から挿入口２５に向けて搬送する。そして、前記二枚の吸入券１１は、順次挿入口２５から排出され、前記オペレータ又は利用者に返却される。
【００５０】
このように、本実施の形態においては、挿入口２５から吸入された吸入券１１を集積部２７に搬送する主搬送路２６に、前記吸入券１１を退避させる退避部１０が接続されている。そのため、前記吸入券１１を返却する場合に、前記集積部２７に一旦集積された吸入券１１を分離して返却する必要がないので、吸入券１１が折れ曲がったり破損したりすることがなく、前記吸入券１１を確実に返却することができる。また、前記集積部２７に一旦集積された吸入券１１を分離するための機構が不要なので、該機構のメンテナンスを行う必要がなく、券類発行装置のメンテナンスが容易になる。
【００５１】
さらに、前記退避部１０の退避搬送路１４において、前記吸入券１１は外側ベルトユニット１５ａと内側ベルトユニット１５ｂとの間に挟み込まれた状態となっている。そのため、前記吸入券１１は、サイズが小型のものであっても、退避搬送路１４から脱落することなく、安定して搬送される。また、前記吸入券１１が変形し易い材質のものであっても、安定した形状を保つことができる。したがって、吸入券１１を変形させることなく、確実に返却することができる。
【００５２】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５３】
図５は本発明の第２の実施の形態における券類発行装置の搬送装置全体の構成を示す断面図である。
【００５４】
ところで、前記第１の実施の形態においては、退避搬送路１４内に保持されている吸入券１１を搬送方向切り替え装置２４に向けて搬送する場合、退避部駆動ローラ１２を反対の方向に回転させるようになっている。そのため、前記吸入券１１が複数枚であり、該吸入券１１を返却する場合には、吸入された順番と逆の順番で挿入口２５から排出されて返却されるので、券類発行装置を操作するオペレータ又は利用者は、戸惑いを感じてしまう。そこで、本実施の形態においては、吸入券１１が複数枚であっても吸入された順番と同一の順番で挿入口２５から排出されるようになっている。
【００５５】
本実施の形態において、退避部１０は、図５に示されるように、大径の退避部駆動ローラ１２及び外側ベルトユニット１５ａを備え、前記退避部駆動ローラ１２と外側ベルトユニット１５ａとによって、略Ω字状の形状を備えたループ状の退避搬送路１４を構成するようになっている。そして、前記外側ベルトユニット１５ａは、複数のベルトローラ１６ａの周囲に架け回された搬送ベルト１６ｂによって構成されている。なお、前記第１の実施の形態におけるような内側ベルトユニット１５ｂは省略されている。
【００５６】
この場合、前記退避搬送路１４は、退避部駆動ローラ１２の外周面と、該外周面に接触する搬送ベルト１６ｂとの間に形成され、退避部駆動ローラ１２の周囲をほぼ一周回って元に戻るようになっている。そして、前記退避部駆動ローラ１２は、動力伝達機構１３ａを介して退避駆動源１３によって駆動され、図５において矢印で示される方向に回転する。これにより、前記搬送方向切り替え装置２４を介して主搬送路２６から退避部１０に搬送された吸入券１１は、退避部駆動ローラ１２の外周面と外側ベルトユニット１５ａとの間に挟み込まれた状態で退避搬送路１４に沿って搬送される。
【００５７】
本実施の形態において、前記退避部駆動ローラ１２の回転方向は、変更することなく、常に一定になっている。そして、前記退避部駆動ローラ１２が回転すると、搬送方向切り替え装置２４から搬送された吸入券１１は、前記退避部駆動ローラ１２の周囲を図における時計回り方向に回転するように搬送され、前記退避部駆動ローラ１２の周囲をほぼ一周回って元に戻り、前記搬送方向切り替え装置２４に向けて搬送される。
【００５８】
ここで、前記退避部１０に退避させることのできる吸入券１１の枚数は、退避搬送路１４の長さに依存する。図５に示される例においては、二枚の吸入券１１ａ及び１１ｂを退避させることができるようになっている。その他の点の構成については、前記第１の実施の形態と同様であるので、説明を省略する。
【００５９】
次に、本実施の形態における券類発行装置の動作について説明する。本実施の形態においても、前記第１の実施の形態と同様に、二枚の吸入券１１が挿入口２５から挿入される場合について説明する。
【００６０】
まず、前記券類発行装置を操作するオペレータ又は利用者が一枚目の吸入券１１を挿入口２５から挿入すると、前記吸入券１１は搬送装置２０内に吸入され、対向する搬送ローラ２１によって挟み込まれた状態で主搬送路２６に沿って搬送される。そして、前記吸入券１１は、前記主搬送路２６の途中に配設された読み取り装置２３を通過する。この際に、前記吸入券１１の記録部に記録された内容が前記読み取り装置２３の読み取りヘッドによって読み取られる。
【００６１】
続いて、前記吸入券１１は、前記主搬送路２６から搬送方向切り替え装置２４に搬送される。そして、前記吸入券１１は、搬送方向切り替え装置２４内において、上側搬送ベルトユニット２４ａと側方搬送ベルトユニット２４ｃとの間に構成された搬送路、及び、上側搬送ベルトユニット２４ａと下側搬送ベルトユニット２４ｂとの間に構成された搬送路を通過して搬送される。これにより、前記吸入券１１は、搬送方向切り替え装置２４を経由して、主搬送路２６から退避部１０に搬送される。
【００６２】
そして、センサ部１７が搬送方向切り替え装置２４から退避搬送路１４に向けて搬送された吸入券１１を検出すると、退避駆動源１３が作動して退避部駆動ローラ１２が図５において矢印で示される方向に回転し、前記吸入券１１を退避搬送路１４内に搬送する。この場合、前記吸入券１１が、図５に示される吸入券１１ａの位置に到達すると前記退避駆動源１３が停止し、退避搬送路１４内に前記吸入券１１が保持される。
【００６３】
次に、オペレータ又は利用者が二枚目の吸入券１１を挿入口２５から挿入すると、前記二枚目の吸入券１１は、一枚目の吸入券１１と同様に、主搬送路２６に沿って搬送される。続いて、前記二枚目の吸入券１１は、記録部に記録された内容が読み取り装置２３によって読み取られた後に、前記主搬送路２６から搬送方向切り替え装置２４に搬送される。そして、前記二枚目の吸入券１１は、前記搬送方向切り替え装置２４を経由して、主搬送路２６から退避部１０に搬送される。
【００６４】
そして、二枚目の吸入券１１が搬送方向切り替え装置２４から退避搬送路１４に向けて搬送されたことを前記センサ部１７が検出すると、一枚目の吸入券１１の場合と同様に、前記退避駆動源１３が作動して退避部駆動ローラ１２が図において矢印で示される方向に回転し、前記吸入券１１を所定の距離だけ搬送する。これにより、既に退避搬送路１４内に保持されている一枚目の吸入券１１は、図５に示される吸入券１１ａの位置から吸入券１１ｂの位置にまで移動し、二枚目の吸入券１１が、図５に示される吸入券１１ａの位置に到達する。
【００６５】
一方、前記読み取り装置２３が読み取った前記二枚の吸入券１１の記録部に記録された内容に基づいて、前記券類発行装置は、新たな券を発行するための手続きを実行する。そして、前記二枚の吸入券１１を挿入口２５から排出して返却する必要がないと判断されると、前記吸入券１１は、前記退避部１０から集積部２７に搬送され、集積箱の内部に集積されて保管される。この場合、前記退避駆動源１３が作動して退避部駆動ローラ１２が図５において矢印で示される方向に回転し、吸入券１１ｂの位置にあった一枚目の吸入券１１が搬送方向切り替え装置２４に搬送される。続いて、退避部駆動ローラ１２が更に回転すると、吸入券１１ａの位置にあった二枚目の吸入券１１も搬送方向切り替え装置２４に搬送される。
【００６６】
そして、前記二枚の吸入券１１は、搬送方向切り替え装置２４内において、上側搬送ベルトユニット２４ａと下側搬送ベルトユニット２４ｂとの間に構成された搬送路、及び、下側搬送ベルトユニット２４ｂと集積側搬送ベルトユニット２４ｄとの間に構成された搬送路を通過して順次搬送される。これにより、前記二枚の吸入券１１は、搬送方向切り替え装置２４を経由して、退避部１０から集積部２７に順次搬送される。そして、前記二枚の吸入券１１は、下側搬送ベルトユニット２４ｂと集積側搬送ベルトユニット２４ｄとの間に構成された搬送路の出入口から順次排出され、前記集積箱内の底板上に順次積み重ねられ、集積されて保管される。
【００６７】
また、例えば、前記読み取り装置２３が読み取った内容が不適切であった場合や、新たな券を発行するための手続きが途中でキャンセルされた場合のように、前記吸入券１１を挿入口２５から排出して返却する必要があると判断されると、前記吸入券１１は、前記退避部１０から主搬送路２６に搬送され、挿入口２５から排出されて返却される。この場合、前記退避駆動源１３が作動して退避部駆動ローラ１２が図５において矢印で示される方向に回転し、吸入券１１ｂの位置にあった一枚目の吸入券１１が搬送方向切り替え装置２４に搬送される。続いて、退避部駆動ローラ１２が更に回転すると、吸入券１１ａの位置にあった二枚目の吸入券１１も搬送方向切り替え装置２４に搬送される。
【００６８】
そして、前記二枚の吸入券１１は、一枚目、二枚目の順番で、搬送方向切り替え装置２４内において、上側搬送ベルトユニット２４ａと下側搬送ベルトユニット２４ｂとの間に構成された搬送路、及び、上側搬送ベルトユニット２４ａと側方搬送ベルトユニット２４ｃとの間に構成された搬送路を通過して搬送される。これにより、前記二枚の吸入券１１は、一枚目、二枚目の順番で、搬送方向切り替え装置２４を経由して、退避部１０から主搬送路２６に搬送される。この場合、駆動源２２が逆転するので、前記搬送ローラ２１は、前記二枚の吸入券１１を奥側から挿入口２５に向けて搬送する。そして、まず一枚目の吸入券１１が挿入口２５から排出され、次に二枚目の吸入券１１が挿入口２５から排出される。そのため、前記二枚の吸入券１１は、吸入された順番と同一の順番で、前記オペレータ又は利用者に返却される。
【００６９】
このように、本実施の形態においては、退避部１０の退避搬送路１４が退避部駆動ローラ１２の周囲をほぼ一周回って元に戻るように、ループ状になっている。そのため、吸入券１１を返却する場合、該吸入券１１が複数枚であっても吸入された順番と同一の順番で挿入口２５から排出される。したがって、券類発行装置を操作するオペレータ又は利用者は、戸惑いを感じることがない。
【００７０】
なお、本発明は前記実施の形態に限定されるものではなく、本発明の趣旨に基づいて種々変形させることが可能であり、それらを本発明の範囲から排除するものではない。
【図面の簡単な説明】
【００７１】
【図１】本発明の第１の実施の形態における券類発行装置の退避部の構成を示す断面図である。
【図２】従来の集積装置の構成を示す断面図である。
【図３】従来の集積装置の動作を示す断面図である。
【図４】本発明の第１の実施の形態における券類発行装置の搬送装置全体の構成を示す断面図である。
【図５】本発明の第２の実施の形態における券類発行装置の搬送装置全体の構成を示す断面図である。
【符号の説明】
【００７２】
１０    退避部
１１、１１ａ、１１ｂ、１１ｃ、１１ｄ    吸入券
１４    退避搬送路
１５ａ    外側ベルトユニット
１５ｂ    内側ベルトユニット
２３    読み取り装置
２４    搬送方向切り替え装置
２６    主搬送路
２７    集積部
【図１】
2005222122.tif 000003
【図２】
2005222122.tif 000004
【図３】
2005222122.tif 000005
【図４】
2005222122.tif 000006
【図５】
2005222122.tif 000007